(57)【要約】【課題】傾斜地の傾斜角に対応させることができ、低コストに柵高を大きくできる侵入防止柵を提供する。【解決手段】侵入防止柵１は、上部胴縁２と、下部胴縁３と、支柱４と、複数の縦桟５と、少なくとも１本の横桟６とを有する。支柱４は、上部胴縁２及び下部胴縁３の各々の両端を支持する。縦桟５は、上部胴縁２から所定間隔で角度自在に吊り下げられている。横桟６は、上部胴縁２と下部胴縁３との間に位置する。上部胴縁２、下部胴縁３、及び横桟６は、支柱４に対する角度θが可変とされている。横桟６及び下部胴縁３は、所定間隔で孔が設けられている。各々の縦桟５は、横桟６及び下部胴縁３の孔に挿通されている。これにより、上部胴縁２及び下部胴縁３等の角度を変えることができるとともに、縦桟５の相互間隔が保持される。【選択図】図１
2014132871.tif 000002
【特許請求の範囲】
【請求項１】
上部胴縁と、下部胴縁と、該上部胴縁及び下部胴縁の各々の両端を支持する支柱とを有する侵入防止柵であって、
前記上部胴縁から所定間隔で角度自在に吊り下げられた複数の縦桟と、
前記上部胴縁と下部胴縁との間に位置する少なくとも１本の横桟とを備え、
前記上部胴縁及び下部胴縁並びに横桟は、前記支柱に対する角度が可変とされており、
前記横桟及び下部胴縁は、所定間隔で孔が設けられており、
前記各々の縦桟は、前記横桟及び下部胴縁の孔に挿通されていることを特徴とする侵入防止柵。
【請求項２】
前記前記上部胴縁及び下部胴縁の各々の端部を上下に連結する縦胴縁を有し、
前記横桟は、両端が前記縦胴縁に角度可変に取り付けられていることを特徴とする請求項１に記載の侵入防止柵。
【請求項３】
前記上部胴縁は、長尺状の取付板を有し、
前記取付板は、前記縦桟を吊り下げた状態で前記上部胴縁に取り付けられることを特徴とする請求項１又は請求項２に記載の侵入防止柵。
【請求項４】
前記取付板は、所定間隔で孔が設けられており、
前記縦桟は、抜け止めが上部に形成され、前記取付板の孔を通して吊り下げられることを特徴とする請求項３に記載の侵入防止柵。
【請求項５】
前記取付板は、上面が前記上部胴縁の下部に対向するように取り付けられ、
前記縦桟の抜け止めは、棒状の該縦桟の上部を曲げて形成されており、前記上部胴縁及び取付板によって挟持されることを特徴とする請求項４に記載の侵入防止柵。
【発明の詳細な説明】
【技術分野】
【０００１】
本発明は、動物等の侵入を防止するための侵入防止柵に関する。
【背景技術】
【０００２】
高速道路には、動物の侵入を防止するために、侵入防止柵が設けられている。侵入防止柵は、地面が傾斜している傾斜地に設けられる場合がある。従来から、傾斜地に設置可能な防護柵が知られている（例えば、特許文献１参照）。この防護柵は、上下１対の横ビームと、複数の縦桟とを有する。横ビームは、縦桟とピン結合され、縦桟との成す角度が調整される。このような防護柵を侵入防止柵として用いようとすると、動物が飛び越えて侵入することを防止するために、柵高を大きくする必要があり、縦桟が長くなる。縦桟は、長くなると、曲がり易くなり、動物に相互間隔を拡げて侵入されるおそれが生じる。縦桟を曲がり難くするために太くすると、侵入防止柵が高コストになる。小動物の侵入も防止するために縦桟の相互間隔を小さくすると、縦桟の本数が多くなるので、縦桟を太くすることは、多大なコスト増を招く。
【０００３】
高速道路には、格子状の柵体を有し、柵高の大きな侵入防止柵が用いられている。このような侵入防止柵は、様々な傾斜角を有する傾斜地に対応させるために、数度毎に傾きの異なる複数種類の柵体が施工材料として用意されており、現地の傾斜角に応じた柵体を用いて施工される。侵入防止柵は、通常、複数の柵体を横方向に連結して構成される。傾斜地の傾斜角が一定ではなく、また、柵体の傾きが数度毎であるので、傾斜角に完全には合っていない傾きの柵体を連結しなければならないことがあり、柵体の連結部分に隙間や重なりが生じ、施工が容易ではない。
【先行技術文献】
【特許文献】
【０００４】
【特許文献１】特開２００５−２０１００８号公報
【発明の概要】
【発明が解決しようとする課題】
【０００５】
本発明は、上記問題を解決するものであり、傾斜地の傾斜角に対応させることができ、低コストに柵高を大きくできる侵入防止柵を提供することを目的とする。
【課題を解決するための手段】
【０００６】
本発明の侵入防止柵は、上部胴縁と、下部胴縁と、該上部胴縁及び下部胴縁の各々の両端を支持する支柱とを有するものであって、前記上部胴縁から所定間隔で角度自在に吊り下げられた複数の縦桟と、前記上部胴縁と下部胴縁との間に位置する少なくとも１本の横桟とを備え、前記上部胴縁及び下部胴縁並びに横桟は、前記支柱に対する角度が可変とされており、前記横桟及び下部胴縁は、所定間隔で孔が設けられており、前記各々の縦桟は、前記横桟及び下部胴縁の孔に挿通されていることを特徴とする。
【０００７】
この侵入防止柵において、前記前記上部胴縁及び下部胴縁の各々の端部を上下に連結する縦胴縁を有し、前記横桟は、両端が前記縦胴縁に角度可変に取り付けられていることが好ましい。
【０００８】
この侵入防止柵において、前記上部胴縁は、長尺状の取付板を有し、前記取付板は、前記縦桟を吊り下げた状態で前記上部胴縁に取り付けられることが好ましい。
【０００９】
この侵入防止柵において、前記取付板は、所定間隔で孔が設けられており、前記縦桟は、抜け止めが上部に形成され、前記取付板の孔を通して吊り下げられることが好ましい。
【００１０】
この侵入防止柵において、前記取付板は、上面が前記上部胴縁の下部に対向するように取り付けられ、前記縦桟の抜け止めは、棒状の該縦桟の上部を曲げて形成されており、前記上部胴縁及び取付板によって挟持されることが好ましい。
【発明の効果】
【００１１】
本発明の侵入防止柵によれば、上部胴縁、下部胴縁、及び横桟は、支柱に対する角度が可変とされており、縦桟が角度自在に吊り下げられているので、上部胴縁及び下部胴縁等の角度を変えて傾斜地の傾斜角に対応させることができる。また、縦桟は、横桟によって中間部の相互間隔が保持されるので、相互間隔を拡げて侵入されることが防止される。このため、柵高を高くしても縦桟を太くする必要が無く、低コストに柵高を大きくできる。
【図面の簡単な説明】
【００１２】
【図１】本発明の一実施形態に係る侵入防止柵の正面図。
【図２】同侵入防止柵における支柱上部近傍の正面図。
【図３】同侵入防止柵を傾斜地に設置した施工例の正面図。
【図４】同侵入防止柵の縦桟の中心軸を通り上部胴縁に直交する切断面における上部胴縁近傍の断面図。
【図５】同切断面における横桟近傍の断面図。
【発明を実施するための形態】
【００１３】
本発明の一実施形態に係る侵入防止柵を図１乃至図５を参照して説明する。図１に示されるように、侵入防止柵１は、上部胴縁２と、下部胴縁３と、支柱４と、複数の縦桟５と、少なくとも１本の横桟６とを有する。支柱４は、地面等に立設され、上部胴縁２及び下部胴縁３の各々の両端を支持する。縦桟５は、上部胴縁２から所定間隔で角度自在に吊り下げられている。横桟６は、上部胴縁２と下部胴縁３との間に位置する。上部胴縁２、下部胴縁３、及び横桟６は、支柱４に対する角度θが可変とされている。この角度θは、正面視での平面角である。横桟６及び下部胴縁３は、所定間隔で孔が設けられている。この孔は、上下に貫通し、横桟６及び下部胴縁３の長手方向に開口形状が長い長孔である。各々の縦桟５は、横桟６及び下部胴縁３の孔に挿通されている。
【００１４】
本実施形態では、侵入防止柵１の柵高は約１．５ｍである。柵高は、これに限定されない。支柱４は、主材として鋼管が用いられる。上部胴縁２、下部胴縁３、及び横桟６は、断面逆Ｌ字形で長尺状の山形鋼である。縦桟５は、鉄製の棒である。侵入防止柵１を構成するこれらの部材は、めっきや塗装等の防錆処理が施される。
【００１５】
横桟６の本数は、本実施形態では、２本としている。横桟６の本数は、侵入防止柵１の柵高等に応じて決められ、１本、又は３本以上であってもよい。
【００１６】
侵入防止柵１は、縦胴縁７を有する。縦胴縁７は、上部胴縁２及び下部胴縁３の各々の端部を上下に連結する。横桟６は、両端が縦胴縁７に角度可変に取り付けられている。
【００１７】
侵入防止柵１において、上部胴縁２、下部胴縁３、縦桟５、横桟６、及び縦胴縁７によって柵体１０が構成され、柵体１０の両端が支柱４によって支持される。
【００１８】
縦胴縁７は、上端が上部胴縁２の端部近傍にボルト留めされ、下端が下部胴縁３の端部近傍にボルト留めされる。横桟６は、両端が縦胴縁７の中間部にボルト留めされる。図２に示されるように、上部胴縁２は、支柱４の上部に固定された固定金具４１ａに、端部がボルト留めされる。下部胴縁３は、支柱４の下部に固定された固定金具４１ｂに、端部がボルト留めされる（図１参照）。これらのボルトを緩めた状態で上記各部材の角度が調整される。
【００１９】
上記のように構成された侵入防止柵１は、水平な地面に設ける場合には、上部胴縁２、下部胴縁３、及び横桟６の支柱４に対する角度θは、直角に設定される。
【００２０】
図３に示されるように、侵入防止柵１は、傾斜地に設ける場合には、上部胴縁２、下部胴縁３、及び横桟６の支柱４に対する角度は、地面の傾斜角に応じて調整される。柵体１０の正面視の形状は、上部胴縁２を上辺、下部胴縁３を底辺、縦胴縁７を右辺及び左辺とする平行四辺形になる。縦胴縁７は、支柱４と平行になる。横桟６は、上部胴縁２及び下部胴縁３と平行になる。なお、図３では、複数の柵体１０を有する侵入防止柵１の施工例を示している。
【００２１】
侵入防止柵１における縦桟５の取付について詳述する。図４に示されるように、上部胴縁２は、長尺状の取付板２１を有する。取付板２１の長手方向は、上部胴縁２の長手方向である。取付板２１は、所定間隔で孔２１１が設けられている。縦桟５は、抜け止め５１が上部に形成され、取付板２１の孔２１１を通して吊り下げられる。図５に示されるように、縦桟５は、横桟６の孔６１に挿通される。同様に、縦桟５は、下部胴縁３の孔に挿通される（図示せず）。取付板２１は、縦桟５を吊り下げた状態で上部胴縁２に取り付けられる（図４参照）。
【００２２】
縦桟５における上部の相互間隔は、取付板２１を有する上部胴縁２によって保持され、中間部の相互間隔は、横桟６によって保持され、下部の相互間隔は、下部胴縁３によって保持される。
【００２３】
縦桟５の抜け止め５１は、棒状の縦桟５の上部を曲げて形成されている。取付板２１は、孔２１１が形成された上面が上部胴縁２の下部に対向するように取り付けられる。上部胴縁２への取付板２１の固定は、ボルト２２による締結である。縦桟５の抜け止め５１は、上部胴縁２及び取付板２１によって挟持される。
【００２４】
なお、本実施形態の変形例として、縦桟５を吊り下げる取付板２１を、孔が形成された面が上部胴縁２の側部に対向するように固定してもよい。しかし、本実施形態のように、取付板２１を、孔２１１が形成された面が上部胴縁２の下部に対向するように固定したほうが、柵体１０の組み立てが容易である。
【００２５】
以上、本実施形態に係る侵入防止柵１によれば、上部胴縁２、下部胴縁３、及び横桟６は、支柱４に対する角度θが可変とされており、縦桟５が角度自在に吊り下げられているので、上部胴縁２及び下部胴縁３等の角度を変えて傾斜地の傾斜角に対応させることができる。また、縦桟５は、横桟６によって中間部の相互間隔が保持されるので、相互間隔を拡げて侵入されることが防止される。このため、柵高を高くしても縦桟５を太くする必要が無く、低コストに柵高を大きくできる。
【００２６】
侵入防止柵１は、上部胴縁２及び下部胴縁３の各々の端部を上下に連結する縦胴縁７を有するので、上部胴縁２、下部胴縁３、縦桟５、横桟６、及び縦胴縁７によって柵体１０が構成され、施工が容易となる。
【００２７】
縦桟５は、取付板２１に吊り下げられて上部胴縁２に取り付けられるので、取付が容易である。
【００２８】
取付板２１は、所定間隔で孔２１１が設けられており、縦桟５は、取付板２１の孔２１１を通して吊り下げられるので、上部の間隔が保持される。また、縦桟５は、抜け止め５１が上部に形成されているので、下に抜け落ちない。
【００２９】
縦桟５の抜け止め５１は、上部胴縁２及び取付板２１によって挟持されるので、上部胴縁２に固定される。
【００３０】
なお、本発明は、上記の実施形態の構成に限られず、発明の要旨を変更しない範囲で種々の変形が可能である。例えば、縦胴縁７を省略し、横桟６の両端を支柱４に角度可変に取り付けてもよい。また、本発明の侵入防止柵１は、高速道路用に限定されるものではない。
【符号の説明】
【００３１】
１  侵入防止柵
２  上部胴縁
２１  取付板
２１１  孔
３  下部胴縁
４  支柱
５  縦桟
５１  抜け止め
６  横桟
６１  孔
７  縦胴縁
【図１】
2014132871.tif 000003
【図２】
2014132871.tif 000004
【図３】
2014132871.tif 000005
【図４】
2014132871.tif 000006
【図５】
2014132871.tif 000007